(57)【要約】【課題】バウンス撮影が行なわれたときに撮影により得られた画像信号が表わす画像の色味が被写体の色味に近いものに調整される撮影装置を提供する。  【解決手段】ＣＣＤ上に被写体光を結像して画像信号を生成するデジタルカメラ１００に照射方向可変であってその照射方向に向けて撮影補助光を発光する補助光発光部１６０を設ける。さらにその補助光発光部１６０の照射方向の色を測定するカラーセンサ１６０２を設けて、内部のＹＣ処理部内のホワイトバランス調整部で、撮影補助光を被写体以外の物に反射させて被写体に当てるバウンス撮影時には撮像素子で得られた画像信号のホワイトバランスを、上記カラーセンサ１６０２で測定された色に応じてその色を打ち消すように調整する。【選択図】図１
2008219108.tif 000002
【特許請求の範囲】
【請求項１】
撮像素子上に被写体光を結像して画像信号を生成する撮影装置において、
照射方向可変であって該照射方向に向けて撮影補助光を発光する補助光発光部と、
前記補助光発光部の照射方向の色を測定するカラーセンサと、
撮影補助光を被写体以外の物に反射させて被写体に当てるバウンス撮影時に、前記撮像素子で得られた画像信号のホワイトバランスを、前記カラーセンサで測定された色に応じて、該色を打ち消すように調整するホワイトバランス調整手段とを備えことを特徴とする撮影装置。
【請求項２】
撮像素子上に被写体光を結像して画像信号を生成する撮影装置において、
照射方向可変であって該照射方向に向けて色温度可変な撮影補助光を発光する補助光発光部と、
前記補助光発光部の照射方向の色を測定するカラーセンサと、
撮影補助光を被写体以外の物に反射させて被写体に当てるバウンス撮影時に、前記補助光発光部で発光する撮影補助光の色温度を、前記カラーセンサで測定された色に応じて該色を打ち消すように調整する発光色温度調整手段とを備えたことを特徴とする撮影装置。
【請求項３】
前記補助光発光部は、ＬＥＤを備え、該ＬＥＤにより撮影補助光を発光するものであることを特徴とする請求項２記載の撮影装置。
【請求項４】
撮像素子上に被写体光を結像して画像信号を生成する撮影装置において、
照射方向可変であって該照射方向に向けて撮影補助光を発光する補助光発光部と、
前記補助光発光部の照射方向の色を測定するカラーセンサと、
撮影補助光を被写体に直接当てるダイレクト光撮影であるか、又は被写体以外の物に反射させて被写体に当てるバウンス撮影であるかに応じて、前記カラーセンサによる色の測定視野角を、相対的に、ダイレクト光撮影では広げるとともにバウンス撮影では狭める測定視野角調整手段と、
前記撮像素子で得られた画像信号のホワイトバランスを、前記カラーセンサで測定された色に応じて調整するホワイトバランス調整手段とを備えたことを特徴とする撮影装置。
【請求項５】
補助光発光部の照射角度に応じてバウンス撮影であるか否かを検出する撮影方法検出手段をさらに備えたことを特徴とする請求項１、２、又は４記載の撮影装置。
【発明の詳細な説明】
【技術分野】
【０００１】
本発明は、撮影光学系で被写体光を捉え被写体光を撮像素子に結像させて画像信号を生成する撮影装置に関する。
【背景技術】
【０００２】
従来より、補助光撮影の際に被写体に適した色温度に補助光の発光色を調整して発光する技術が開示されている（例えば特許文献１、２参照）。この技術を用いると、一定の色温度の補助光ではなく、いろいろな色温度の補助光を被写体に当てて撮影を行なうことができ、撮影の幅を広げることができる。
【０００３】
ところで、撮影補助光を被写体に直接当てて撮影を行なうダイレクト光撮影に対して、撮影補助光を被写体以外の物例えば天井に反射させて被写体に当てて撮影を行なうバウンス撮影と呼ばれる撮影技術がある。このバウンス撮影が行なわれるときには被写体に対して間接的に照明が行なわれるので、外光の影響の方が強くなって補助光の色温度を下にホワイトバランス調整を行なうとホワイトバランスが崩れることがある。そこでバウンス撮影が行なわれたときには補助光の色温度ではなく外光の色温度の方を重視してホワイトバランス調整を行なう技術が提案されている（例えば特許文献３参照）。
【特許文献１】特開２００３−２１５６７５号公報
【特許文献２】特開２００４−２３３７１４号公報
【特許文献３】特開２００５−１４２８３０号公報
【発明の開示】
【発明が解決しようとする課題】
【０００４】
しかし、天井に補助光を反射させて被写体に当てて撮影を行なう場合には室内の環境や天井の色によって外光よりも補助光の影響が強く現われ、しかもその補助光の色が天井の色の影響を強く受けてしまうことがある。このように被写体に向けて間接的に照射された補助光の色が天井の色の影響を強く受けると、撮影により得られた画像信号が表わす画像の色味が被写体の色味とはかけ離れたものになってしまうことがある。
【０００５】
本発明は、上記事情に鑑み、バウンス撮影が行なわれたときに撮影により得られた画像信号が表わす画像の色味が被写体の色味に近いものに調整される撮影装置を提供することを目的とする。
【課題を解決するための手段】
【０００６】
上記目的を達成する本発明の第１の撮影装置は、撮像素子上に被写体光を結像して画像信号を生成する撮影装置において、
照射方向可変であって該照射方向に向けて撮影補助光を発光する補助光発光部と、
上記補助光発光部の照射方向の色を測定するカラーセンサと、
撮影補助光を被写体以外の物に反射させて被写体に当てるバウンス撮影時に、上記撮像素子で得られた画像信号のホワイトバランスを、上記カラーセンサで測定された色に応じて、その色を打ち消すように調整するホワイトバランス調整手段とを備えことを特徴とする。
【０００７】
上記本発明の第１の撮影装置によれば、上記カラーセンサで補助光発光部の照射方向の色が測定され測定された色に応じて上記ホワイトバランス調整手段により上記撮像素子で得られた画像信号のホワイトバランス調整が行なわれる。
【０００８】
そうすると、上記ホワイトバランス調整手段によって画像信号のホワイトバランスが天井の色を打ち消すように調整されるので、天井の色が補助光に影響を及ぼしていたとしてもその影響がホワイトバランス調整部で除去され被写体の色味に近い色味を持つ画像を表わす画像信号が得られる。
【０００９】
上記目的を達成する本発明の第２の撮影装置は、撮像素子上に被写体光を結像して画像信号を生成する撮影装置において、
照射方向可変であってその照射方向に向けて色温度可変な撮影補助光を発光する補助光発光部と、
上記補助光発光部の照射方向の色を測定するカラーセンサと、
撮影補助光を被写体以外の物に反射させて被写体に当てるバウンス撮影時に、上記補助光発光部で発光する撮影補助光の色温度を、上記カラーセンサで測定された色に応じてその色を打ち消すように調整する発光色温度調整手段とを備えたことを特徴とする。
【００１０】
上記本発明の第２の撮影装置によれば、上記カラーセンサで補助光発光部の照射方向の色が測定され測定された色に応じて上記発光色温度調整手段で色温度の調整が行なわれた補助光が照射される。
【００１１】
つまり補助光をバウンスさせる物例えば天井の色が上記カラーセンサで検出され検出された色に応じて上記発光色温度調整手段で補助光の色温度が調整され天井の色を打ち消すようにして補助光が照射されてバウンス撮影が行なわれる。ここでバウンス撮影により得られた画像信号に撮影補助光の色温度、又は撮影補助光に外光の影響を加味した色温度に基づいてホワイトバランス調整が行なわれると、天井の色の影響が打ち消されて被写体の色味に近い色味を持つ画像を表わす画像信号が得られる。
【００１２】
また上記色温度調整手段が補助光発光部の色温度の調整を行なうにあたっては、上記補助光発光部が、ＬＥＤを備え、そのＬＥＤにより撮影補助光を発光するものであることが好ましい。
【００１３】
そうすると、例えば光の３原色である赤色・緑色・青色の色光のうちのいずれかの発光光量を調節することにより色温度の調整を自在に行なうことができる。
【００１４】
また、上記目的を達成する本発明の第３の撮影装置は、撮像素子上に被写体光を結像して画像信号を生成する撮影装置において、
照射方向可変であってその照射方向に向けて撮影補助光を発光する補助光発光部と、
上記補助光発光部の照射方向の色を測定するカラーセンサと、
撮影補助光を被写体に直接当てるダイレクト光撮影であるか、又は被写体以外の物に反射させて被写体に当てるバウンス撮影であるかに応じて、上記カラーセンサによる色の測定視野角を、相対的に、ダイレクト光撮影では広げるとともにバウンス撮影では狭める測定視野角調整手段と、
上記撮像素子で得られた画像信号のホワイトバランスを、上記カラーセンサで測定された色に応じて調整するホワイトバランス調整手段とを備えたことを特徴とする。
【００１５】
上記本発明の第３の撮影装置によれば、バウンス撮影が行なわれるときには上記センサの測定視野角が上記測定視野角調整手段で狭くなるように調整され、ダイレクト光撮影が行なわれるときには上記測定視野角調整手段で広くなるように調整される。
【００１６】
そうすると、バウンス撮影であるか、ダイレクト光撮影であるかに応じて、センサの視野角が調整され、バウンス撮影時においては反射させる物の色が確実に検出され、ダイレクト光撮影においては被写界の多くを占める雰囲気の色が検出される。
【００１７】
ここで、補助光発光部の照射角度に応じてバウンス撮影であるか否かを検出する撮影方法検出手段を備えた態様であることが好ましい。
【００１８】
上記撮影方法検出手段を備えた態様であると、その撮影方法検出手段の検出結果に応じて上記測定視野角調整手段にカラーセンサの視野角の調整を適宜行なわせることができる。
【発明の効果】
【００１９】
以上、説明したように、バウンス撮影が行なわれたときに撮影により得られた画像信号が表わす画像の色味が被写体の色味に近いものに調整される撮影装置が実現する。
【発明を実施するための最良の形態】
【００２０】
以下、図面を参照して本発明の実施の形態を説明する。
【００２１】
図１は、本発明の撮影装置の一実施形態であるデジタルカメラを示す図である。
【００２２】
図１には本発明の一実施形態であるデジタルカメラ１００の斜視図が示されている。        
【００２３】
図１に示すように、本実施形態のデジタルカメラ１００のボディ中央にはレンズ鏡胴１１１が備えられており、そのレンズ鏡胴１１１の上方にはボディから上方に延びる様にして補助光発光部１６０が設けられている。その補助光発光部１６０には、ボディから上方に延びる基体１６０Ａと、その基体１６０Ａにヒンジで回転自在に連結された照射角変更部１６０Ｂとが備えられている。この照射角変更部１６０Ｂのヒンジ側とは反対の側の先端部には、撮影補助光を被写体に向けて照射することができるように発光窓１６０１が設けられており、照射角変更部１６０Ｂがヒンジを中心に回動されるとその発光窓１６０１から照射される補助光の照射方向が自在に変更される。またその補助光発光部１６０が備える照射角変更部１６０Ｂの発光窓１６０１の脇には補助光発光部１６０の照射方向の色を測定するカラーセンサ１６０２が設けられており、さらに照射角変更部１６０Ｂと基体１６０Ａとを連結するヒンジが設けられている部分の周辺には、照射角変更部１６０Ｂの、撮影光軸に対する回転角度を検出するためのロータリエンコーダ（不図示）が設けられている。
【００２４】
また、ボディの上面部には補助光発光部１６０の他にレリーズボタン１０１ａや静止画撮影モード、動画モードなどの複数種類の撮影モードのいずれかに切り替えるためのモードダイヤル１０１ｂが備えられている。さらに背面側には、ＬＣＤパネル１５０が備えられており、そのＬＣＤパネル１５０の横方向には、撮影モードと再生モードとを切り替えるモードレバー１０１ｃや選択メニューを選択するときなどに用いられる十字キー１０１ｄや電源スイッチ１０１ｅなどの操作子が備えられている。なお以降においては、レリーズボタン１０１ａ以外のこれらの操作子をまとめて操作子郡１０１と記載することがある。
【００２５】
図２は、図１のデジタルカメラ１００内部の電気系統の構成ブロック図である。  
【００２６】
図２を参照してこのデジタルカメラ１００の内部の構成および動作を簡単に説明する。
【００２７】
本実施形態のデジタルカメラ１００ではすべての処理がメインＣＰＵ１１０によって統括的に制御されている。このメインＣＰＵ１１０の入力部には図１（ｂ）に示した操作子群１０１からの操作信号がそれぞれ供給されていてそれらの操作信号のいずれかが供給されてきたらその操作信号に応じた処理が適宜ＣＰＵ１１０によって実行される。メインＣＰＵ１１０はＥＥＰＲＯＭ１１０ａを有しており、このＥＥＰＲＯＭ１１０ａにはデジタルカメラ１００として動作するために必要なプログラムが書き込まれているので、まず操作子群１０１の中の電源スイッチ１０１ｅ（図１参照）が投入されたらそのＥＥＰＲＯＭ１１０ａ内のプログラムの手順にしたがってメインＣＰＵ１１０によりこのデジタルカメラ全体の動作を制御する処理が開始される。なお、ＣＰＵ１１０とＥＥＰＲＯＭ１１０ａには常に電源１３０から電力が供給されている。
【００２８】
ここで操作子群１０１の中の電源スイッチ１０１ｅ（図１参照）が投入された後のデジタルカメラ１００の動作を、図２を参照して説明する。
【００２９】
操作子群１０１の中の電源スイッチ１０１ｅが投入されたら、メインＣＰＵ１１０により電源スイッチ１０１ｅが投入されたことが検知され、電源１３０から測光・測距ＣＰＵ１２０などの各ブロックに電力が供給される。電源１３０から各部に電力が供給されたときに操作子群１０１の中のモードレバーが撮影側に切り替えられていた場合には、まずレンズ鏡胴１１１内の撮影レンズ１１１０，１１１１によりＣＣＤ固体撮影素子（以降ＣＣＤという）１１２上に結像された被写体像が画像信号として所定の間隔ごとに間引かれて出力され、その出力された画像信号に基づく被写体像が画像表示ＬＣＤ１５のＬＣＤパネル１５０上に表示される。上記ＣＣＤ１１２にはクロックジェネレータ（以下、ＣＧという）１１２１から露光開始信号と露光停止信号とが供給されており、これらの信号によって所定の間隔ごとにＣＣＤ１１２に電子シャッタが設定され電子シャッタが閉じ駆動される。さらに露光停止信号が供給された後に今度はＣＧ１１２１から画像読出信号が供給されＣＣＤ１１２から画像信号が間引かれて出力される。このＣＧ１１２１からはメインＣＰＵ１１０からの指示に基づいて上記画像読出信号に同期した信号がＣＣＤ１１２の他、後段のホワイトバランスγ処理部１１３、さらにＡ／Ｄ部１１４にも供給されているので、ＣＣＤ１１６、ホワイトバランスγ処理部１１３、Ａ／Ｄ部１１４ではその画像読出信号に同期して順序良く画像信号の処理が流れるように行なわれる。なお、本実施形態のホワイトバランスγ処理部１１３には、可変利得アンプが内蔵されていてその可変利得アンプに測光・測距ＣＰＵ１２０からゲインを表わす制御信号がセットされると撮影感度が調整される。
【００３０】
こうしてＣＧ１１２１からの画像読出信号に同期してＣＣＤ１１２、ホワイトバランスγ処理部１１３、Ａ／Ｄ部１１４で順序良く画像信号の処理が流れるように行なわれてＡ／Ｄ部１１４でアナログの画像信号がデジタルの画像信号に変換されたら、ホワイトバランス調整やガンマ補正された画像信号が後段のＹＣ処理部１１６に供給される。
【００３１】
このＹＣ処理部１１６でＹＣ信号への変換処理が行なわれるときにはＡ／Ｄ部１１４からの画像信号の送出タイミングとＹＣ処理部１１６の処理タイミングとをあわせる必要があるので、本実施形態ではＹＣ分離部１１６とＡ／Ｄ部１１４との間にバッファメモリ１１５が設けられてそのバッファメモリ１１５を境にした前段（Ａ／Ｄ部１１４等）の処理タイミングと後段（ＹＣ処理部１１６）の処理タイミングとがあう様に調整されるようになっている。
【００３２】
また、本実施形態のＹＣ処理部１１６では、ＣＣＤ１１２に設けられているオプティカルブラック領域の信号に基づいてオプティカルブラック（以降ＯＢという）処理が行なわれ、画素欠陥のある画素の補間処理等が行なわれてＹ信号のダイナミックレンジが確保された後、ＲＧＢ信号からＹＣ信号への変換が行なわれる。
【００３３】
こうしてＹＣ処理部１１６でＹＣ信号に変換された信号がバス１２１を経由して画像表示ＬＣＤ１５側に供給されるとともにＹＣ信号のうちのＹ信号がメインＣＰＵ１１０に供給される。詳細は後述するが、このＹＣ処理部１１６内には、前段のアナログ型のホワイトバランス処理部の処理を補正することができるように、デジタル型のホワイトバランス調整部が内蔵されている。つまり、このＹＣ処理部１１６が、本発明にいうホワイトバランス調整手段の一例に相当する。
【００３４】
また、ＹＣ処理部１１６からＹＣ信号が供給される画像表示ＬＣＤ１５の方にはまずＹＣ信号をＲＧＢ信号に変換するＹＣ→ＲＧＢ変換部１５１があり、このＹＣ→ＲＧＢ変換部１５１でＹＣ信号が再びＲＧＢ信号に変換され、その変換されたＲＧＢ信号がドライバ１５２に供給され、さらにそのドライバ１５２によって画像表示ＬＣＤ１５のＬＣＤパネル１５０上にＲＧＢ信号に基づくカラー画像（被写体像）の表示が行なわれる。
【００３５】
また、Ｙ信号が供給されるメインＣＰＵ１１０の方では、Ｙ信号に基づいて測光が行なわれその測光値が後述する測光・測距ＣＰＵ１２０に供給されてその測光・測距ＣＰＵ１２０によって絶えず絞り径の変更設定やＣＣＤ１１２の電子シャッタ（ＣＧ１１２１による）の設定等が行なわれて適正な明るさを持つスルー画を得るために必要な露出が調整される様になっている。
【００３６】
メインＣＰＵ１１０では、Ｙ信号に基づいて測光（以降ＡＥという）が行なわれて測光結果が測光・測距ＣＰＵ１２０に通知され測光・測距ＣＰＵ１２０によって絞り１１１４の径が調節され、またＹ信号からコントラストが検出されそのコントラストに基づいて焦点探索（以降ＡＦという）が行なわれ探索された合焦位置が測光・測距ＣＰＵ１２０に通知され測光・測距ＣＰＵ１２０によって撮影レンズ１１１１であるフォーカスレンズが合焦位置に配置される様にもなっている。
【００３７】
前述したＣＧ１１２１から出力される画像読出信号に同期してＣＣＤ１１２、ホワイトバランスγ処理部１１３、Ａ／Ｄ部１１４およびバッファメモリ１１５等が動作して、所定の間隔ごとにＣＣＤ１１２で生成された画像信号が処理されている訳であるから、この画像表示ＬＣＤ１５の表示パネル１５０上には撮影レンズが向けられた方向の被写体がスルー画として常に表示され続ける。この表示され続けているスルー画を視認しながら、シャッタチャンスにレリーズ釦１０１ａが半押しされると、まずメインＣＰＵ１１０によりＡＥ処理とＡＦ処理が実行され、ＡＥ処理の結果が測光・測距ＣＰＵ１２０に伝えられ測光・測距ＣＰＵ１２０により絞りの１１１４の絞り径が調整され、さらにＡＦ処理の結果に応じて撮影レンズの中のフォーカスレンズ１１１１が合焦位置に配置される。所定のシャッタ秒時で機械式シャッタ１１１３が開駆動されてＣＣＤ１１２に被写体光が結像され所定のシャッタ秒時が経過して機械式シャッタ１１１３が閉じ駆動される。メインＣＰＵ１１０によるＡＥ処理で被写界輝度が低輝度であると判定された場合には、機械式シャッタ１１１３が開駆動された後に閉じ駆動されるまでの間に、補助光発光部１６が備えるＸｅ管発光制御部１６１の制御の下にキセノン管Ｘｅから撮影補助光が照射され被写界が照明される。なお、このときの発光タイミングは、フラッシュ発光タイミング制御部１２０Ａにより制御される。
【００３８】
そして機械式シャッタ１１１３が閉じ駆動された後にＣＧ１１２１からＣＣＤ固体撮像素子１１２にが画像読出信号が供給されその画像読出信号に応じてＣＣＤ固体撮像素子１１６に結像された画像信号がＲＧＢ信号となって出力される。出力されたＲＧＢ信号は後段のホワイトバランスγ処理部１１３、さらにはＡ／Ｄ部１１４を経由してＹＣ処理部１１６へと供給され、そのＹＣ処理部１１６でＲＧＢ信号がＹＣ信号に変換されてさらに圧縮・伸張部１１７でそのＹＣ信号が圧縮され圧縮されたＹＣ信号が画像信号としてヘッダと共に画像ファイルとなってＩ／Ｆ１１８を介してメモリカード１１９に記録される。この圧縮・伸張部１１７では静止画についてはＪＰＥＧ規格に準拠した圧縮方法で圧縮が行なわれてメモリカード１１９に画像ファイルが記録される。この画像ファイルのヘッダには圧縮情報や撮影情報などが書き込まれており、このデジタルカメラ１００のモードレバー１０１ｃ（図１参照）が再生側に切り替えられたら、メモリカード１１９からそのファイルのヘッダがまず読み出され、そのヘッダ内の圧縮情報に基づいてファイル内の圧縮画像信号が圧縮・伸張部１１７で伸張されて画像信号が元に復元された後、その画像信号に基づく被写体像がＬＣＤパネル１５０上に表示される。
【００３９】
ここで、本発明にいうホワイトバランス調整手段の一例に相当するＹＣ処理部１１６と、カラーセンサ１６０２とロータリエンコーダ１６０３からの信号を受けてそのＹＣ処理部１１６にカラーセンサ１６０２の出力に応じたホワイトバランス調整を行なわせるメインＣＰＵ１１０の動作を説明する。
【００４０】
図３は、メインＣＰＵ１１０と測光・測距ＣＰＵ１２０が行なう撮影処理の手順を示すフローチャートである。図３（ａ）には、撮影処理の手順が示されており、図３（ｂ）にはステップＳ３０５の処理の詳細が示されている。
【００４１】
まず図３（ａ）のフローの処理を説明する。
【００４２】
図３（ａ）のフローの処理は、シャッタボタン１０１ａが半押しされたときに開始される。シャッタボタン１０１ａが半押しされたら、ステップＳ３０１でＡＥ処理を実行して、次のステップＳ３０２でＡＦ処理を実行する。
【００４３】
ここでシャッタボタン１０１ａが全押しされたら、ステップＳ３０３へ進んでステップＳ３０３で機械式シャッタを開駆動することにより露光を開始し、露光が終了したら機械式シャッタを閉じ駆動することにより露光を終了して次のステップＳ３０４へ進む。次のステップＳ３０４でＣＣＤ１１２にＣＧ１１２１から画像読出信号を供給して画像信号を順次にＡ／Ｄ部１１４へと出力させ、Ａ／Ｄ部１１４にＡ／Ｄ変換を行なわせ、次のステップＳ３０５でデジタル信号に変換された画像信号を、バッファメモリ１１５からバス１２１を経由してＹＣ処理部１１６に供給させる。ＹＣ処理部１１６に画像処理を行なわせたら、次のステップＳ３０６で今度はバス１２１を経由して圧縮・伸張部１１７に１フレーム分の画像信号を供給させ圧縮伸張部１１７に圧縮処理を行なわせて、ステップＳ３０７でメモリカード１１９に撮影により得た画像信号を画像ファイルの形で記録させてこのフローの処理を終了する。
【００４４】
ここで、メインＣＰＵ１１０が本発明にいうホワイトバランス調整手段の一例を構成するＹＣ処理部１１６に行なわせるホワイトバランス処理を図３（ｂ）を参照して説明する。
【００４５】
図３（ｂ）は、図３（ａ）の画像処理ステップＳ３０５の詳細を示すフローチャートである。
【００４６】
まず、ステップＳ３０５１でＣＣＤ１１２に設けられているＯＢ領域の信号に基づいてＹＣ処理部にＯＢ処理を実行させる。次のステップＳ３０５２で画素欠陥のある画素やキズのある画素の信号を周辺の画素信号を用いて補間処理を行なわせ次のステップＳ３０５３で色変換行列を用いてＲＧＢからＹＣＣ信号を生成させる。このときには、ステップＳ３０５１のＯＢ処理により検出した黒レベルに基づいてＹ信号のダイナミックレンジを定めてＲＧＢ信号をＹＣＣ信号に変換する処理を実行させる。
【００４７】
次のステップＳ３０５４でロータリエンコーダ１０６３の出力信号から、補助光発光部１６０の照射角変更部１６０Ｂの発光光軸と撮影光軸との間の角度を検出し、その角度が４５度以上であると判定したら、カラーセンサ１６０１で測定された色を打ち消すようにＹＣ処理部１１６にホワイトバランス処理を行なわせて、図３（ａ）のステップに戻る。
【００４８】
また、ステップＳ３０５４で撮影光軸を基準にしたときの照射角度変更部１６０Ｂの角度が４５度未満であると判定したら、ＹＣ処理部１１６に、キセノン管Ｘｅの色温度に基づいたホワイトバランス調整を行なわせて図３（ａ）のステップＳ３０６に戻る。
【００４９】
メインＣＰＵ１１０がＹＣ処理部１１５に以上のフローの処理を実行させると、ロータリエンコーダ１６０３の出力に応じて撮影光軸に対する角度が４５以上であって照射角変更部１６０Ｂが天井に向けられていると判定したときには、ＹＣ処理部１１６に、バウンス撮影が行なわれるとして天井の色を打ち消すように画像信号のホワイトバランス調整を行なわせることができ、またロータリエンコーダ１６０３により検出された角度が４５未満であって照射角変更部１６０Ｂが光軸方向に向けられていると判定したときには、ＹＣ処理部１１６に、キセノン管Ｘｅの色温度に応じたホワイトバランス調整を行なわせることができる。
【００５０】
こうして本発明にいうホワイトバランス調整手段の一例を構成するＹＣ処理部１１６によって画像信号のホワイトバランスが天井の色を打ち消すように調整されると、天井の色が補助光の色に影響を及ぼしていたとしてもその影響がＹＣ処理部１１６で除去され被写体の色味に近い色味を持つ画像を表わす画像信号が得られることとなる。
【００５１】
図４、図５は、第２実施形態を説明する図である。
【００５２】
図４には図２と同様のブロック図が示されている。この図４に示す構成は、補助光発光部１６０Ａに、キセノン管Ｘｅの代わりに色温度の調整が自在であるＬＥＤ１６３とＬＥＤ発光制御部１６２が配備されている以外は、図２の構成と同じである。また、図５には、メインＣＰＵ１１０と測光・測距ＣＰＵ１２０が連携して実行する撮影処理の手順がフローチャートの形で示されており、図５（ｂ）にはステップＳ３０２の露光処理の詳細が示されている。
【００５３】
第１実施形態では、メインＣＰＵ１１０がＹＣ処理部１１６にカラーセンサ１６０２で測定された色に応じてその色を打ち消すようにホワイトバランス調整を行なわせたが、第２実施形態では、補助光発光部１６０ＡにＬＥＤ１６３を配備してメインＣＰＵ１１０がカラーセンサ１６０２で測定された色を測光・測距ＣＰＵ１２０に伝えて測光・測距ＣＰＵ１２０がＬＥＤ発光制御部１６２に指示してカラーセンサ１６０２で測定された色を打ち消すように補助光の色温度を調整させてから補助光を発光させている。
【００５４】
図５を参照してメインＣＰＵ１１０と測光・測距ＣＰＵ１２０が連携して実行する撮影処理を説明する。図５（ａ）の処理は、図３（ａ）の処理と同じであって図３（ａ）の処理については前述したので、図５（ｂ）の処理を説明する。
【００５５】
図５（ａ）のステップＳ３０３の露光処理を開始したら、まずステップＳ３０３１でロータリエンコーダ１６０３からの角度検出信号に基づいて撮影光軸と発光光軸との角度差を検出する。ここで角度差が４５度以上であってバウンス撮影が行なわれると判定したら、ステップＳ３０３２でカラーセンサ１６０２で測定された色を打ち消すようにＬＥＤ発光制御部１６２に色温度を調整させ調整させた色温度でＬＥＤ１６３に補助光を発光させる。ステップＳ３０３３で、４５度未満であってダイレクト光撮影が行なわれると判定したら、ステップ３０３４でカラーセンサ１６０２で測定された色に応じた色温度になるようにＬＥＤ１６３から補助光を発光させる。
【００５６】
こうして、天井の色を打ち消すようにホワイトバランス調整を行なう構成の代わりに、天井の色を打ち消すように発光色の色温度を調整しても良い。
【００５７】
ここで、カラーセンサ１６０３で照射方向の色を測定するにあたっては、バウンス撮影のときには補助光を反射させる周辺のみの色を検出することが出来れば良いので狭い視野角である方が良く、ダイレクト光撮影のときには被写界中の多くを占める雰囲気の色を検出する必要があるので広い視野角である方が良い。
【００５８】
図６は、本発明にいう測定視野角調整手段の構成の一例を説明する図である。
【００５９】
図６には、撮影補助光を被写体に直接当てるダイレクト光撮影であるか、又は被写体以外の物に反射させて被写体に当てるバウンス撮影であるかに応じて、カラーセンサ１６０２による色の測定視野角を、相対的に、ダイレクト光撮影では広げるとともにバウンス撮影では狭める測定視野角調整手段の構成の一例が示されている。
【００６０】
図６（ａ）〜図６（ｃ）に示す様に、測定視野角を調整するにあたっては、ロータリエンコーダ１６０３の角度信号に応じて例えばバウンス撮影時にはレンズＬ１をカラーセンサ１６０２の前面に挿入したり、レンズＬ１をカラーセンサ１６０２から遠ざけたり、液体レンズＬ２の凸の曲率を大きくすれば良い。
【００６１】
図７は、図６（ａ）〜図６（ｂ）に示す構成を付加した場合の処理の詳細を説明する図である。図７（ａ）は、図３（ａ）と同じであり、図７（ｂ）は、図３（ｂ）の処理に加えて、ステップＳ３０５４で撮影光軸と発光光軸との角度差が４５以上であってバウンス撮影であると判定したときにはステップＳ３０５５Ａでカラーセンサ１６０２の測定視野角を狭くして補助光を反射させる物の色の検出精度を上げてカラーセンサで照射方向の色を測定してステップＳ３０５５でＹＣ処理部１１６にホワイトバランス調整を行なわせ、ステップＳ３０５４で撮影光軸と発光光軸との角度差が４５未満であってダイレクト光撮影であると判定したときにはカラーセンサ１６０２の測定視野角を広くして被写体の多くを占める雰囲気の色を検出してＹＣ処理部１１６にその検出した色温度に応じたホワイトバランス処理を行なわせている。このような構成にしても良い。
【００６２】
図８は、測定視野角調整手段の別の例を示す図である。
【００６３】
図８には、カラーセンサ１６０３１〜１６０３ｎが２次元的に多数配列された例が示されている。
【００６４】
視野角調整手段を構成するにあたっては、図８のように２次元的にカラーセンサ１６０３１〜１６０３ｎを配列しておいて、使用するセンサ数を変更する構成にしても良い。
【００６５】
また、図９は、カラーセンサの測定視野角を調整する測定視野角調整手段の他の構成例を示す図である。
【００６６】
図９には、絞りＩ１の径が変更自在である絞りが示されている。図９のように絞り径が変更自在である絞りＩ１を配備してその絞りＩ１の径を変更してカラーセンサ１６０３の測定視野角を変更する構成にしても良い。
【００６７】
図１０は、図３のフローの処理に、カラーセンサ１６０３の出力結果を画像ファイルのタグ領域に記録する処理ステップＳ３０５７を追加したフローチャートである。また図１１は、メインＣＰＵ１１０（図２参照）の指示の下に記録手段の一例を構成する圧縮・伸長部１１７およびＩ／Ｆ１１８が画像ファイルをメモリカード１１９に記録するときのメモリアロケーションを示す図である。
【００６８】
図１１に示す様に、画像ファイルのヘッダ領域にはスタートコード領域、次にタグ領域、さらにサムネイル領域が割り当てられていて、それらの下方に撮影画像の記録領域が割り当てられている。図１０の処理が実行されると、図１１のタグ領域にカラーセンサの出力、例えば天井の色が青であるという情報が記録される。
【００６９】
そうすると、再生表示画面上に天井の色が青であったことが表示されるので、編集機能を用いて表示画面上でホワイトバランス調整を行なうときの参考データになる。また再生表示画面上の画像にホワイトバランス不良があると思われたときなどにはカラーセンサの出力情報を不良解析用のデータとして扱うこともできる。
【００７０】
以上説明した様に、バウンス撮影が行なわれたときに撮影により得られた画像信号が表わす画像の色味が被写体の色味に近いものに調整される撮影装置が実現する。
【図面の簡単な説明】
【００７１】
【図１】本発明の撮影装置の一実施形態であるデジタルカメラを示す図である。
【図２】図１のデジタルカメラ１００内部の電気系統の構成ブロック図である。
【図３】メインＣＰＵ１１０と測光・測距ＣＰＵ１２０が連携して実行する撮影処理の手順を示すフローチャートである。
【図４】第２実施形態を説明する図である。
【図５】第２実施形態を説明する図である。
【図６】本発明にいう測定視野角調整手段の構成の一例を説明する図である。
【図７】図６（ａ）〜図６（ｂ）に示す構成を付加した場合の処理の詳細を説明する図である。
【図８】測定視野角調整手段の別の例を示す図である。
【図９】測定視野角調整手段の他の構成例を示す図である。
【図１０】図５の処理に加えて、カラーセンサの出力結果をＥｘｉｆファイルのタグ領域に記録する処理ステップＳ３０５５Ａを追加したフローチャートである。
【図１１】メインＣＰＵの指示の下に記録手段の一例を構成する圧縮・伸長部およびＩ／Ｆ１１８がＥｘｉｆファイルをメモリカード１１９に記録するときのメモリアロケーションを示す図である。
【符号の説明】
【００７２】
１００    デジタルカメラ
１０１    操作子群
１０１ａ      レリーズボタン
１０１ｂ    モードダイヤル
１０１ｃ    モードレバー
１０１ｄ    十字キー
１０１ｅ    電源スイッチ
１１０    メインＣＰＵ
１１１    レンズ鏡胴
１１１０    １１１１  撮影レンズ
１１１３    機械式シャッタ
１１２    ＣＣＤ固体撮像素子
１１２１    クロックジェネレータ（ＣＧ）
１２０  測光・測距ＣＰＵ
１６０  １６０Ａ    補助光発光部
１６１    Ｘｅ管発光制御部
１６２    ＬＥＤ発光制御部
１６０１      補助光発光窓
１６０２    カラーセンサ
１６０３    ロータリエンコーダ
【図１】
2008219108.tif 000003
【図２】
2008219108.tif 000004
【図３】
2008219108.tif 000005
【図４】
2008219108.tif 000006
【図５】
2008219108.tif 000007
【図６】
2008219108.tif 000008
【図７】
2008219108.tif 000009
【図８】
2008219108.tif 000010
【図９】
2008219108.tif 000011
【図１０】
2008219108.tif 000012
【図１１】
2008219108.tif 000013